(57)【要約】【課題】特殊な工具あるいは装置を用いることなく、通路形成板を側板間に強固に取り付けることができる通路形成板の取付構造を提供すること。【解決手段】第１直進部１１Ａ、第１斜行部１２、第２直進部１１Ｂ、第２斜行部１３の順に繰り返し、蛇行するように形成した通路形成板１を側板２，３間に取り付ける通路形成板１の取付構造であって、第１直進部１１Ａの側縁に固定部１１１を設けるとともに、第２直進部１１ｂの側縁に係止部１１６を設ける一方、側板２，３に固定穴２１，３１と係止穴２２，３２とを設け、固定部１１１を固定穴２１，３１に、係止部１１６を係止穴２２，３２に挿入した後に、第１直進部１１Ａおよび第２直進部１１Ｂの延在方向に通路形成板１を移動させることにより、係止部１１６を係止穴２２，３２に係止するとともに固定部１１１を固定穴２１，３１に固定して、側板２，３に通路形成板１を取り付けるようにした。【選択図】        図２
2006178530.tif 000002
【特許請求の範囲】
【請求項１】
第１直進部、第１斜行部、第２直進部、第２斜行部の順に繰り返し、蛇行するように形成した通路形成板を側板間に取り付ける通路形成板の取付構造であって、
第１直進部の側縁に固定部を設けるとともに、第２直進部の側縁に係止部を設ける一方、
側板に固定穴と係止穴とを設け、
固定部を固定穴に、係止部を係止穴に挿入した後に、第１直進部および第２直進部の延在方向に通路形成板を移動させることにより、係止部を係止穴に係止するとともに固定部を固定穴に固定して、側板に通路形成板を取り付けたことを特徴とする通路形成板の取付構造。
【請求項２】
斜行部の側縁に当接部を設けるとともに、
側板に当接穴を設け、
通路形成板を側板に取り付けた場合に、当接部と当接穴の側縁とが当接することを特徴とする請求項１に記載の通路形成板の取付構造。
【発明の詳細な説明】
【技術分野】
【０００１】
本発明は、通路形成板の取付構造に関し、特にサーペンタイン方式の商品収納ラックを構成する通路形成板の取付構造に関するものである。
【背景技術】
【０００２】
缶入り飲料やビン入り飲料、あるいはペットボトル飲料等の商品を販売する自動販売機に内蔵される商品収納ラックが広く知られている。このような商品収納ラックは、略円筒形（多角形のものも含む）で、かつ強度の高い容器に収容した商品の収納に適したサーペンタイン方式が採用されている。
【０００３】
サーペンタイン方式の商品収納通路は、横倒し姿勢で搬送された商品を消勢するとともに、内部に商品を収納するものであり、手間側と奥側とに湾曲形状をしたセグメントを互いに対向するように適宜連設することによって、上下方向に蛇行するように延設されている。そして、その上端側が商品の投入側となり、下端側が商品の搬出側となる。したがって、商品収納通路に搬入された商品は、商品収納通路を通過する際の衝撃で容器が破損／変形することがない。
【０００４】
ところで、上述したように、湾曲形状をしたセグメントを多数連設したのでは、組立に手間がかかり、コスト高になるという問題を有していた。また、このようなセグメントは、先端に切り込みを設けた円筒状のスリーブを有しており、当該スリーブを側板に貫通させた後に、その円筒スリーブの先端を花びら状に押し広げることにより、左右の側板にスリーブを取り付けていたために、組立に特殊なカシメ装置を用いる必要があった。
【０００５】
このような問題を解決するために、平坦面の上下に互いに反対方向に傾斜面を形成した通路形成板により、商品収納通路を画成した商品収納ラックが提案されている。この通路形成板には、側縁から折り返し弾性板が延設してあり、当該折り返し弾性板を側板に設けた角穴に挿通することにより、特殊な装置あるいは工具を用いることなく、側板間に通路形成板を取り付け可能である（たとえば、特許文献１参照）。
【０００６】
【特許文献１】特開２００３−９９８４９号公報
【発明の開示】
【発明が解決しようとする課題】
【０００７】
しかしながら、このような通路形成板の取付構造は、折り返し弾性板の弾性により、通路形成板を側板間に取り付けているために、必ずしも強固に通路形成板を取り付けることができない。
【０００８】
本発明は、上記実情に鑑みて、特殊な工具あるいは装置を用いることなく、通路形成板を側板間に強固に取り付けることができる通路形成板の取付構造を提供することを目的とする。
【課題を解決するための手段】
【０００９】
上記の目的を達成するために、本発明の請求項１に係る通路形成板の取付構造は、第１直進部、第１斜行部、第２直進部、第２斜行部の順に繰り返し、蛇行するように形成した通路形成板を側板間に取り付ける通路形成板の取付構造であって、第１直進部の側縁に固定部を設けるとともに、第２直進部の側縁に係止部を設ける一方、側板に固定穴と係止穴とを設け、固定部を固定穴に、係止部を係止穴に挿入した後に、第１直進部および第２直進部の延在方向に通路形成板を移動させることにより、係止部を係止穴に係止するとともに固定部を固定穴に固定して、側板に通路形成板を取り付けたことを特徴とする。
【００１０】
また、本発明の請求項２に係る通路形成板の取付構造は、上記請求項１において、斜行部の側縁に当接部を設けるとともに、側板に当接穴を設け、通路形成板を側板に取り付けた場合に、当接部と当接穴の側縁とが当接することを特徴とする。
【発明の効果】
【００１１】
本発明に係る通路形成板の取付構造は、第１直進部の側縁に固定部を設けるとともに、第直進部の側縁に係止部を設ける一方、側板に固定穴と係止穴とを設け、固定部を固定穴に、係止部を係止穴に挿入した後に、第１直進部および第２直進部の延在方向に通路形成板を移動させることにより、係止部を係止穴に係止するとともに、固定部を固定穴に固定して、側板に通路形成板を取り付けたので、特殊な工具あるいは装置を用いることなく、通路形成板を側板間に強固に取り付けることができるという効果を奏する。
【００１２】
また、斜行部の側縁に当接部を設けるとともに、側板に当接穴を設け、通路形成板を側板に取り付けた場合に、当接部と当接穴の側縁とが当接するので、当接穴の側縁と当接する当接部の当接面の反対側の面から力が加えられた場合であっても、通路形成板の変形を抑制できるという効果を奏する。
【発明を実施するための最良の形態】
【００１３】
以下に添付図面を参照して、本発明に係る通路形成板の取付構造の好適な実施例を詳細に説明する。なお、この実施例によりこの発明が限定されるものではない。
【００１４】
本発明の実施例に係る通路形成板の取付構造は、自動販売機に内蔵される商品収納ラックを構成する通路形成板の取り付けに用いられるものであって、特に、サーペンタイン方式の商品収納ラックを構成する通路形成板の取り付けに適している。
【００１５】
サーペンタイン方式の商品収納ラックは、略円筒形（多角形のものも含む）で、かつ強度の高い容器の収納に適しており、缶入り飲料やビン入り飲料、あるいはペットボトル飲料等の商品を販売する自動販売機に内蔵される。
【００１６】
サーペンタイン方式の商品収納ラックは、側板間にトップトレイ、商品収納通路、ベンドメックを有している。そして、トップトレイは、上下方向に並設してあり、上下方向に隣接したトップトレイ相互間に商品投入口が画成される。
【００１７】
トップトレイは、商品投入口（手前側）から商品収納通路（奥側）に向けて漸次低くなるように傾斜して配設した板状部材であり、商品投入口から横倒し姿勢で投入された商品は、トップトレイ上を転動、または滑走することにより、トップトレイの手前側から奥側に搬送される。
【００１８】
商品収納通路は、トップトレイから横倒し姿勢で搬送された商品を消勢するとともに、内部に商品を収納するものであり、手前側と奥側とに通路形成板が互いに対向するように適宜配設することによって、上下方向に蛇行するように延設してある。そして、その上端側が商品の投入側となり、下端側が商品の搬出側となる。したがって、トップトレイから搬送された商品は、商品収納通路を通過する際の衝撃で容器が破損／変形することがない。
【００１９】
ベンドメックは、商品の販売を制御するものであり、商品収納通路の下部出口に取り付けてある。ベンドメックは、上下一対のペダルとベンドソレノイド、およびリンク機構により構成されている。そして、商品収納通路を通過して一番下まで到達（落下）した商品は、ベンドメックで留まり、次の商品は、その上に積み上げられて、商品収納通路内に次々と収納されていくことになる。
【実施例１】
【００２０】
本発明の実施例１に係る通路形成板の取付構造を説明する。なお、図１は本発明の実施例１に係る通路形成板の取付構造を示す斜視図、図２は図１に示した通路形成板の取付構造を説明する分解斜視図である。
【００２１】
実施例１に係る商品収納ラックの通路形成板１の取付構造は、商品収納ラックを構成する側板２，３間に通路形成板１を取り付けたものであり、本実施例１で説明する通路形成板１は、複数本の商品収納通路が画成される場合に、商品収納通路と商品収納通路との間に配設されるものである。
【００２２】
側板２，３は、互いに反対方向にコの字状に折り曲げて形成してあり、通路形成板１は、上述したように、上下方向に蛇行するように形成してある。通路形成板１は、図２に示すように、下方に延在する直進部１１、手前側斜め下方に延在する第１斜行部１２、下方に延在する直進部１１、奥側斜め下方に延在する第２斜行部１３、を順に繰り返し、蛇行するように形成してある。なお、側板２，３のコの字状に折り曲げた部分は、先端を折り返して二重にしたり、また、コの字状の折り曲げに代えてカール状に形成したり、さらに、コの字状に代えてＺ字状に折り曲げて形成してもよい。
【００２３】
通路形成板１の最上部に形成した直進部（以下「第１直進部１１Ａ」という）の両側縁には、固定部１１１が形成してあり、最上部以外に形成した直進部（以下「第２直進部１１Ｂ」という）の両側側縁には、係止部１１６が形成してある。また、通路形成板１の第１斜行部１２の両側縁部および第２斜行部１３の両側縁部には、第１当接部１２１、第２当接部１３１がそれぞれ形成してある。
【００２４】
一方、商品通路を画成する両側の側板２，３には、通路形成板１に形成した、固定部１１１、係止部１１６、第１当接部１２１、第２当接部１３１に対応するように、固定穴２１，３１、係止穴２２，３２、第１当接穴２３，３３、第２当接穴２４，３４がそれぞれ形成してある。
【００２５】
そして、固定部１１１を固定穴２１，３１に、係止部１１６を係止穴２２，３２に、第１当接部１２１を第１当接穴２３，３３に、第２当接部１３１を第２当接穴２４，３４に、それぞれ挿入した後、通路形成板１を両側の側板２，３に対して下方に移動させると、係止部１１６が係止穴２２に係止され、固定部１１１が固定穴２１に固定される。また、第１当接部１２１は第１当接穴２３の側縁に当接され、第２当接部１３１は第２当接穴２４の側縁に当接される。この結果、係止部１１６において側板２，３の相互間に生ずる引張力に対抗し、固定部１１１において側板２，３に対する通路形成板１の移動を阻止する。また、第１当接部１２１、第２当接部１３１において、斜め上方からの押圧力に対抗する。
【００２６】
以下、側板２に対する通路形成板１の取付構造について詳細に説明する。なお、側板３に対する通路形成板１の取付構造は、側板２に対する通路形成板１の取付構造と対称であることを除いて異なるところはないので、説明を省略する。
【００２７】
図３に示すように、固定部１１１は、第１直進部１１Ａの側板２と当接する側縁１１ａから外側に延在しており、表面に膨出させた２つの凸部１１１ａと、凸部１１１ａと凸部１１１ａとの間を裏面側に斜めに切り起こした爪部１１１ｂとを有している。これら２つの凸部１１１ａと爪部１１１ｂとは、側縁１１ａの延長線上に位置し、通路形成板１を側板２に取り付けた場合に、側板２と交差するようになっている。
【００２８】
図４に示すように、固定穴２１には、固定部１１１を挿入した場合に上述した凸部１１１ａを受け容れる凹部２１ａと、固定部１１１を下方に移動させた場合に上述した爪部１１１ｂと係合する爪部２１ｂとが形成してある。したがって、固定穴２１に固定部１１１を挿入した場合には、凸部１１１ａは固定穴２１の凹部２１ａに受け容れられ、爪部１１１ｂは固定穴２１に受け容れられるので、何ら力を加える必要はない。しかしながら、固定穴２１に固定部１１１を挿入した後に固定部１１１を下方に移動させる場合には、凸部１１１ａは凹部２１ａの下方に移動し、爪部１１１ｂは爪部２１ｂの傾斜面２１ｃを乗り越える必要があるので、力を加える必要がある。
【００２９】
図５に示すように、係止部１１６は、第２直進部１１Ｂの側板２と当接する側縁１１ｂから外側に延在した後に、下方に延在しており、係止部１１６の下方に延在した部分と側縁１１ｂから延長した仮想側縁との間隙は、側板２の厚みと略同一であり、係止部１１６を側板２に係止させた場合に係止部１１６と側板２との間に隙間が生じないようになっている。
【００３０】
また、係止部１１６の下側に延在した部分の内側には面取り１１６ａが施してあり、係止部１１６を側板２に係止させ易くなっている。さらに、係止部１１６の根元部分には、矩形の切り欠き１１６ｂが形成してあり、通路形成板１に過重な力を働かせなくても、通路形成板１を側板２に係止させることができるようになっている。
【００３１】
図６に示すように、係止穴２２は、二つの長穴を一部が重なるように形成してあり、側板２に通路形成板１を取り付けた場合に、係止部１１６が係止穴２２の縁部２２ａと当接するようになっている。したがって、係止穴２２と当接する係止部１１６の当接面の反対側の面（図６において左側）から力が加えられた場合に、係止穴２２の縁部２２ａが対抗して、通路形成板１の変形を抑制することができる。
【００３２】
第１当接部１２１は、第１斜行部１２の側板２と当接する側縁１２ａから外側（図７において手前側）に延在し、第２当接部１３１は第２斜行部１３の側板２と当接する側縁１３ａから外側（図８において手前側）に延在している。
【００３３】
図７および図８に示すように、第１当接穴２３と第２当接穴２４は、それぞれ、通路形成板１の第１斜行部１２、第２斜行部１３に沿って形成した長穴であり、第１当接部１２１、第２当接部１３１をそれぞれ挿入する場合には、何ら力を加える必要はない。そして、第１当接部１２１、第２当接部１３１をそれぞれ第１当接穴２３と第２当接穴２４とに挿入した後、第１当接部１２１、第２当接部１３１をそれぞれ下方に移動させると、第１当接部１２１が第１当接穴２３の側縁２３ａに、第２当接部１３１が第２当接穴２４の側縁２４ａに当接する。したがって、第１当接穴２３の側縁２３ａと当接する第１当接部１２１の当接面の反対側の面（図７において右側斜め上方）から力が加えられた場合に、第１当接穴２３の側縁２３ａが対抗して、通路形成板１の変形を抑制することができる。また、同様に、第２当接穴２４の側縁２４ａと当接する第２当接部１３１の当接面の反対側の面（図８において左側斜め上方）から力が加えられた場合に、第２当接穴２４の側縁２４ａが対抗して、通路形成板１の変形を抑制することができる。
【００３４】
上述した本発明の実施例１に係る通路形成板１の取付構造によれば、通路形成板１に形成した固定部１１１、係止部１１６、第１当接部１２１、第２当接部１３１を、それぞれ、側板２，３に形成した固定穴２１，３１、係止穴２２，３２、第１当接穴２３，３３、第２当接穴２４，３４に挿入した後、通路形成板１を下方に移動させれば、側板２，３に通路形成板１を取り付けることができる。したがって、何ら特殊な、工具あるいは装置を用いることなく、側板２，３に通路形成板１を取り付けることができる。
【００３５】
また、固定部１１１と固定穴２１との固定により、側板２，３から通路形成板１の脱落を防止するとともに、係止部１１６と係止穴２２，３２との係止により、側板２，３の相互間方向に働く力に対抗することができる。さらに、当接部１２１，１３１と当接穴２３，３３，２４，３４の側縁２３ａ，２４ａとが当接することにより、当接部１２１，１３１の当接面と反対側の面に働く力（たとえば、商品の通過に際して働く力）に対抗することができる。
【実施例２】
【００３６】
本発明の実施例２に係る通路形成板の取付構造を説明する。なお、図９は本発明の実施例２に係る通路形成板の取付構造を説明する斜視図、図１０は図９に示した通路形成板の取付構造を説明する分解斜視図である。
【００３７】
なお、実施例２に係る通路形成板１の取付構造は、固定部１５１と固定穴２５，３５とを除いて、実施例１に係る通路形成板１の取付構造と異なるところはないので、固定部１５１と固定穴２５，３５とについてのみ説明し、他の部分については、同一の符合を付して説明を省略する。また、側板３に対する通路形成板１の取付構造は、実施例１と同様に、側板２に対する通路形成板１の取付構造と対称であることを除いて異なるところはないので、説明を省略する。
【００３８】
図１１に示すように、固定部１５１は、第１直進部１１Ａの側板２と当接する側縁１１ａから外側に延在しており、前面側に斜めに切り起こした係止爪１５１ａと、背面側に斜めに切り起こした係止爪１５１ｂが形成してある。これら２つの係止爪１５１ａ，１５１ｂは、その先端が側縁１１ａの延長線上よりもやや外側に位置し、通路形成板１を側板２に取り付けた場合に、係止爪１５１ａ，１５１ｂの先端が側板２に当接するようになっている。
【００３９】
図１２に示すように、固定穴２５は、２つの長穴２５ａ，２５ｂを一部が重なるように設けて形成してあり、長穴２５ａの内側縁部２５ｃから上方に延長した延長線と長穴２５ｂの内側縁部２５ｄとの間隙は、通路形成板１の厚みと略同一である。したがって、側板２に取り付けた通路形成板１の前面側、あるいは背面側のどちらから力が加えても、固定穴２５の縁部２５ｃ，２５ｄが対抗して、通路形成板１の変形を抑制することができる。また、側板２に通路形成板１を取り付けた場合に、固定部１５１の前面側に形成した係止爪１５１ａと背面側に切り起こした係止爪１５１ｂとがともに固定穴２５の縁部２５ｃ，２５ｄと当接するようになっている。したがって、側板２から通路形成板１が脱落することはない。
【００４０】
実施例２に係る通路形成板１を側板間に取り付ける場合には、係止部１１６を係止穴２２，３２に、第１当接部１２１を第１当接穴２３，３３に、第２当接部１３１を第２当接穴２４，３４に、それぞれ挿入した後、通路形成板１を両側の側板２，３に対して下方に移動させるとともに、固定部１５１を固定穴２５に押し込む。すると、係止部１１６が係止穴２２に係止されるとともに、固定部１５１が固定穴２５に固定される。また、第１当接部１２１は第１当接穴２３の側縁に当接され、第２当接部１３１は第２当接穴２４の側縁に当接される。
【００４１】
この結果、係止部１１６において側板２，３の相互間に生ずる引張力に対抗し、固定部１５１において側板２，３に対する通路形成板１の移動を阻止する。また、第１当接部１２１、第２当接部１３１において、斜め上方からの押圧力に対抗する。
【００４２】
上述した本発明の実施例２に係る通路形成板の取付構造によれば、係止部１１６を係止穴２２，３２に、第１当接部１２１を第１当接穴２３，３３に、第２当接部１３１を第２当接穴２４，３４に、それぞれ挿入した後、通路形成板１を両側の側板２，３に対して下方に移動させるとともに、固定部１５１を固定穴２５に押し込めば、側板２，３に通路形成板１を取り付けることができる。したがって、実施例１に係る通路形成板の取付構造と同様に、何ら特殊な、工具あるいは装置を用いることなく、側板２，３に通路形成板１を取り付けることができる。
【００４３】
また、固定部１５１と固定穴２５との固定により、側板２，３から通路形成板１の脱落を防止するとともに、係止部１１６と係止穴２２，３２との係止により、側板２，３の相互間方向に働く力に対抗することができる。さらに、当接部１２１，１３１と当接穴２３，３３，２４，３４の側縁２３ａ，２４ａとが当接することにより、当接部１２１，１３１の当接面と反対側の面に働く力（たとえば、商品の通過に際して働く力）に対抗することができる。
【産業上の利用可能性】
【００４４】
以上のように、本発明に係る通路形成板の取付構造は、自動販売機に内蔵される商品収納ラックの通路形成板の取付構造に有用であり、特に、サーパンタイン方式の商品収納ラックの通路形成板の取付構造に適している。
【図面の簡単な説明】
【００４５】
【図１】本発明の実施例に係る通路形成板の取付構造を示す斜視図である。
【図２】図１に示した通路形成板の取付構造を説明する分解斜視図である。
【図３】図１および図２に示した固定部と固定穴とを説明する部分拡大図である。
【図４】図３に示したＡ矢視図である。
【図５】図１および図２に示した係合部と係合穴とを説明する部分拡大図である。
【図６】図５に示したＢ矢視図である。
【図７】図１および図２に示した第１当接部を説明する部分拡大図である。
【図８】図１および図２に示した第２当接部を説明する部分拡大図である。
【図９】本発明の実施例２に係る通路形成板の取付構造を示す斜視図である。
【図１０】図９に示した通路形成板の取付構造を説明する分解斜視図である。
【図１１】図９および図１０に示した固定部と固定穴とを説明する部分拡大図である。
【図１２】図１２に示したＣ矢視図である。
【符号の説明】
【００４６】
１    通路形成板
２，３    側板
１１Ａ    第１直進部（直進部）
１１ａ    側縁
１１Ｂ    第２直進部（直進部）
１１ｂ    側縁
１２    第１斜行部
１２ａ    側縁
１３    第２斜行部
１３ａ    側縁
２１ａ    凹部
２１，３１    固定穴
２２ａ    縁部
２１ｂ    爪部
２１ｃ    傾斜面
２２，３２    係止穴
２３，３３    第１当接穴
２３ａ    側縁
２４，３４    第２当接穴
２４ａ    側縁
１１１    固定部
１１１ａ，１１１ｂ    爪部
１１６    係止部
１１６ａ    面取り
１１６ｂ    切り欠き
１２１    第１当接部
１３１    第２当接部
２５，３５    固定穴
２５ａ，２５ｂ    長穴
２５ｃ，２５ｄ    縁部
１５１    固定部
１５１ａ，１５１ｂ    係止爪
【図１】
2006178530.tif 000003
【図２】
2006178530.tif 000004
【図３】
2006178530.tif 000005
【図４】
2006178530.tif 000006
【図５】
2006178530.tif 000007
【図６】
2006178530.tif 000008
【図７】
2006178530.tif 000009
【図８】
2006178530.tif 000010
【図９】
2006178530.tif 000011
【図１０】
2006178530.tif 000012
【図１１】
2006178530.tif 000013
【図１２】
2006178530.tif 000014